(57)【要約】  同じものに対する組み立て及び分解に関する電子デバイス（２００）及び方法が提供される。電子デバイスは、垂直方向を持ち、ケース底部（２１３）、ケース上前部（２１１）及びケース上後部（２１２）を含む外部ケースを有する。電子デバイスは、さらに、ケース上前部をケース上後部に取り付けて、上部構造体（２１０）を形成する、ネジなし固定構造体（９７７）を含む。電子デバイスは、また、上部構造体をケース底部に取り付ける複数のネジなしクリップ及びスプリング機構（２８８）を含む。
2017515315.tif 000002
【特許請求の範囲】
【請求項１】
垂直方向であり、ケース底部（２１３）、ケース上前部（２１１）及びケース上後部（２１２）を含む外部ケースを有する電子デバイス（２００）であって、
前記ケース上前部を前記ケース上後部に取り付けて、上部構造体（２１０）を形成する、ネジなし固定構造体（９７７）と、
前記上部構造体を前記ケース底部に取り付ける、複数のネジなしクリップ及びスプリング機構（２８８）と、
を備える、電子デバイス（２００）。
【請求項２】
前記ネジなし固定構造体（９７７）が、
前記ケース上後部から突き出た複数のレッジであって、それぞれが固定突起部（２１５）を有する、複数のレッジ（２１６）と、
複数の突起開口部であって、それぞれが前記複数のレッジのうちの各１つから固定突起部を受ける、複数の突起開口部（２１７）と、
を含む、請求項１に記載の電子デバイス。
【請求項３】
前記複数のネジなしクリップ及びスプリング機構（２８８）の各々が、それぞれの保持クリップ（２１４）及びそれぞれのクリップ固定機構（２２２）を含む、請求項１に記載の電子デバイス。
【請求項４】
前記それぞれのクリップ固定機構（２２２）は、突起部（２２１Ａ）を有するアンカベース（２２１）を有し、
前記それぞれの保持クリップ（２１４）は、ロック部分（２１９）と、アンカ開口部（２７７）を有するアンカ部分（２２０）を有し、
前記突起部が前記アンカ開口部に適合する、請求項３に記載の電子デバイス。
【請求項５】
前記複数のネジなしクリップ及びスプリング機構（２８８）の各々は、前記ケース上前部（２１１）又は前記ケース上後部（２１２）上のそれぞれの保持クリップ（２１４）、及び前記ケース底部（２１３）上のそれぞれのクリップ固定機構（２２２）を有する、請求項１に記載の電子デバイス。
【請求項６】
前記クリップ及びスプリング機構（２８８）は、前記上部構造体（２１０）の底部上又はその周辺に置かれ、前記クリップ及びスプリング機構は、前記電子デバイスの高さの４分の１以下まで延びる、請求項１に記載の電子デバイス。
【請求項７】
前記電子デバイスは、前記電子デバイスの前の垂直表面、前記電子デバイスの後ろの垂直表面、及び前記電子デバイスの水平の奥行の少なくとも１つの幅よりも大きい高さを有している、請求項１に記載の電子デバイス。
【請求項８】
前記電子デバイスは、前部分（２０８）及び後部分（２０６）は互いに平行で、側面部分（２０４）は互いに平行ではない、四角形を形成する上平面断面図の形状を有する請求項１に記載の電子デバイス。
【請求項９】
前記電子デバイスは、リリースフィンガ（３０１）を有するリリース治具（３００）が、前記電子デバイスの底部に対して垂直に上方に動くとき、同時に前記複数のネジなしクリップ及びスプリング機構（２８８）の各ロック部分（２１９）を解放し、それにより、前記ケース上前部（２１１）及び前記ケース上後部（２１２）が前記ケース底部（２１３）から上方に取り外され、それにより、前記外部ケース内に含まれる電子コンポーネントがアクセス可能となる、請求項１に記載の電子デバイス。
【請求項１０】
前記電子デバイスは、さらに前記電子デバイスの前記底部上にリリース開口部（２２３）を有し、それにより、前記リリースフィンガ（３０１）がそこを通過することにより、前記複数のネジなしクリップ及びスプリング機構（２８８）のそれぞれのロック部分（２１９）を取り外す、請求項９に記載の電子デバイス。
【請求項１１】
前記複数のネジなしクリップ及びスプリング機構（２８８）の各々が、それぞれのクリップ固定機構（２２２）及びそれぞれの保持クリップ（２１４）を含み、
前記それぞれのクリップ固定機構（２２２）は、突起部（２２１Ａ）を有するアンカベース（２２１）を有し、
前記それぞれの保持クリップは、前記ロック部分（２１９）と、アンカ開口部（２７７）を有するアンカ部分（２２０）を有し、
前記突起部が前記アンカ開口部に適合する、請求項１０に記載の電子デバイス。
【請求項１２】
前記リリースフィンガ（３０１）は、前記電子デバイスの前記底部を通って、前記アンカ部分（２２０）から前記ロック部分（２１９）を押し上げ、前記アンカ開口部から前記突起部を取り外す、請求項１１に記載の電子デバイス。
【請求項１３】
前記リリースフィンガ（３０１）は、前記電子デバイスの前記底部を通過し、前記複数のネジなしクリップ及びスプリング機構（２８８）のそれぞれのロック部分（２１９）を前記複数のネジなしクリップ及びスプリング機構のそれぞれのアンカ部分（２２０）に対して内部に押し込み、前記ロック部分の上部分を前記複数のネジなしクリップ及びスプリング機構（２８８）それぞれのクリップ固定機構（２２２）から取り外す、請求項９に記載の電子デバイス。
【請求項１４】
さらに、前記ケース上後部（２１２）及び前記ケース上前部との間の組み立て位置の間違った開始を防止するための前記ケース上前部（２１１）上の開口部（２１７）と結合するための前記ケース上後部上の突起部（２１６）を含む、請求項１に記載の電子デバイス。
【請求項１５】
前記電子デバイスは、セットトップボックスである、請求項１に記載の電子デバイス。
【請求項１６】
垂直方向を有する電子デバイス（２００）の筐体であって、
ケース底部（２１３）、ケース上前部（２１１）及びケース上後部（２１２）を含む外部ケースと、
前記ケース上前部を前記ケース上後部に取り付けて、上部構造体（２１０）を形成する、ネジなし固定構造体（９７７）と、
前記上部構造体を前記ケース底部に取り付ける、複数のネジなしクリップ及びスプリング機構（２８８）と、
を備える、筐体。
【請求項１７】
前記ネジなし固定構造体（９７７）が、
前記ケース上後部から突き出た複数のレッジであって、それぞれが固定突起部（２１５）を有する複数のレッジ（２１６）と、
複数の突起開口部（２１７）であって、それぞれが、前記複数のレッジのそれぞれ一つから前記固定突起部を受ける、複数の突起開口部と、
を含む、請求項１６に記載の筐体。
【請求項１８】
前記複数のネジなしクリップ及びスプリング機構（２８８）のそれぞれが、それぞれの保持クリップ（２１４）及びそれぞれのクリップ固定機構（２２２）を含む、請求項１６に記載の筐体。
【請求項１９】
前記クリップ及びスプリング機構（２８８）は、前記上部構造体（２１０）の底部上又はその周辺に置かれ、前記クリップ及びスプリング機構は、前記筐体の高さの４分の１以下まで延びる、請求項１６に記載の筐体。
【請求項２０】
前記筐体が、前記筐体の前垂直表面、前記筐体の後垂直表面、及び前記筐体の水平奥行のうち少なくとも１つの幅よりも大きい高さを有する、請求項１６に記載の筐体。
【発明の詳細な説明】
【技術分野】
【０００１】
本原理は、一般に電子機器、より具体的には、素早く安全に（quickly  and  safely）電子装置を分解できるように設計された電子装置及び関連する分解リリースツール（disassembly  release  tool）に関連する。
【０００２】
関連出願の相互参照
本出願は、参照によりここに完全に組み込まれる２０１４年５月７日出願の米国仮出願第６１／９８９，６００号の利益を請求する。
【背景技術】
【０００３】
セットトップボックス等の電子機器又はデバイスは、通常、少なくとも１つの壁面が複数のネジ（screw）で固定された複数の壁面を有する組み立てられた装置（assembled  apparatus）である。これらのデバイスの内部コンポーネントにアクセスすることは、デバイスの過度の作業をしばしば必要とする複数のネジの取り外しを、残念ながら必要とする。過度の作業は、各ネジを探すために、デバイスの上下をひっくり返したり、側面を下に置くような、デバイスの向きを変えることをしばしば含む。これは、そして、デバイスの上下のひっくり返し又は側面を下に置くこと毎に１つのネジを取り外すことによってデバイスを分解していく。デバイスのこの過度の作業は、デバイスの各動きがコンポーネントに振動を与えるので、内部コンポーネントに損傷を与える可能性を増加させる。さらに、ネジの取り外し及び再固定は、デバイスを傷つけたり、ネジ山をつぶす機会を引き起こす。
【０００４】
電子デバイスの内部コンポーネントはしばしばアクセスされることが必要であり、内部コンポーネントへのアクセスは、内部コンポーネントが損傷を受ける危険にさらし、又は電子デバイスが傷つく危険にさらすという事実を踏まえると、早く、簡単に、且つ安全に電子デバイスを開けるための改良された電子デバイスの構造及び方法に対する必要性が存在する。
【０００５】
この必要性に応える１つの既知のシステムは、国際公開第２０１０−００８３６０号に開示されている。図１は、分解した状態の国際公開第２０１０−００８３６０号に従った装置の斜視図である。セットトップボックスのような装置１は、内部空間を規定する外部の壁面を有する筐体、内部表面１２を有する上面１０、内部表面から延びる複数の結合クリップ３０、及び底面５を有する。底面５は、内部表面、上面１０を底面５に固定するための結合クリップ３０とかみ合う内部表面から延びる組立部材２０を受ける複数のクリップを有する。底面５は、さらに、少なくとも１つの開口部７を含み、開口部７は、プレートから延びる複数の分離部材を有するリリース治具が、クリップを受ける組立部材２０を同時に分離することを可能にするように構成されている。
【先行技術文献】
【特許文献】
【０００６】
【特許文献１】国際公開第２０１０−００８３６０号
【０００７】
国際公開第２０１０−００８３６０号に従った装置１の組み立て方法は以下を含む：垂直の力をかけることによって底面５及び上面１０を一緒に押す；底面５の部材２０を受けるクリップと上面１０の結合クリップ３０を同時に接触させる；結合クリップ３０の保持部分を横方向に再配置する；そして、保持部分を初期の横位置又はいくらか中間位置に留める。結合クリップ３０の部分と、上面１０及び底面５を分解できるようにするクリップを受ける部材２０の部分との間で水平及び垂直の重なりがあり得る。クリップ及びクリップを受ける部材は、分解部材によって解除できるロックとして引用され得る。図１の筐体は、プロセッサ、スマートカードアセンブリ、チューナ、ファン、記憶装置等の様々な電子コンポーネントを収容する。これらのコンポーネントは、内部サポート構造体６０によって支持され、それ自体は、側壁面及び適切な開口部又はコンポーネントスロット９を有する底面を有し得る。外壁面は、前壁８、後壁６、横壁４、上面１０、底面５である。
【０００８】
底面５は、外部表面と反対で、上面１０を向いている、内部表面１３を有する。底面５は、さらに、内部表面１３から延びる複数のクリップ受け部材２０を含み、それらは、底面５を上面１０に固定するように設計されている。底面５は、さらに、クリップ受け部材２０と関係し、クリップ受け部材２０に隣接し、又は近くにある、一連の開口部７を含む。
【０００９】
国際公開第２０１０−００８３６０号に開示されたネジのないロック機構及びリリース治具のコンセプトは、一般に背が低く、広い水平の底面を持ち、ロック機能（すなわち、上面と底面のケーシングコンポーネント）を持つ２つの主要な外側の収容コンポーネントを有する、基本的な電子デバイスに対して良く機能する。
【００１０】
垂直方向に背が高く又は水平方向に少なくともより小さいデバイスのケーシングにある電子デバイスにおいて、底面は一般に狭く、ロック機構を有する２つの主要な外部収容コンポーネントがあるので、国際公開第２０１０−００８３６０号に開示されたコンセプトは、非常に現実的ではない。もしロック及びロック解除機構に関連する開口部が底面にあると、ロック機構は、非常に長くなる必要があるという理由である。もし開口部が垂直側面に置かれれば、より短いロック機構及びロック解除治具上のより短いロック解除機構を許すが、背の高いデザインにおいて、垂直側面は顧客に見えやすい傾向があるので、開口部は見苦しものとなり得る。そのため、長いロック及びロック解除機構を必要としない、背の高い又はより高い電子デバイスに対するロック及びロック解除機構に対する必要性は必要とされる。
【００１１】
さらに、背の高い又はより高い電子デバイスにおける垂直又は見える表面における開口部の劣った外観を取り除くため、及び顧客の要求に応じたそのような組み立てを固定するためにネジを使用することを避けるために、改良したロック及びロック解除機構が必要とされる。
【００１２】
さらに、顧客の要求により、より背が高い電子デバイスに対して使用できるリリース治具を包含する単一ステップの分解動作が望まれ、それにより、デバイスのコンポーネントを損傷する危険を伴わずに電子デバイスの内部コンポーネントに安全で、容易にアクセスするための手段が提供される。しかしながら、同時に、許可されていないアクセス、例えば、子供によるアクセスを実質的に阻止することを保証する解決策が必要とされている。
【発明の概要】
【００１３】
従来技術のこれらの及び他の欠点及び不都合は、本原理によって対処され、本原理は、早く、安全に電子装置を分解できるように設計された電子装置及び関連する分解リリースツールを対象とする。
【００１４】
本原理の態様に従った、電子デバイス２００又は電子デバイスのための筐体は、垂直方向で、外部ケースを有し、外部ケースは、ケース底部２１３、ケース上前部２１１及びケース上後部２１２を含む。電子デバイスは、さらに、ケース上前面部をケース上後部２１２に取り付けて、上部構造体２１０を形成するネジなしの固定構造体９７７を含む。電子デバイスは、また上部構造体をケース底部に取り付ける複数のネジなしクリップ及びスプリング機構２８８を含む。
【００１５】
本原理の別の態様に従って、方法２１００は、垂直方向を持ち、ケース底部、ケース上前部及びケース上後部を含む外部ケースを持つ電子デバイスを組み立てることを提供する。方法は、ネジのなし固定構造体を使用して上部構造体を形成するためのケース上前部のケース上後部への取り付け２１１０を含む。方法は、さらに、複数のネジなしクリップ及びスプリング機構を使用して上部構造体のケース底部への取り付け２１２０を含む。
【００１６】
本原理のまた他の態様に従って、方法２２００は、垂直方向の向きを持ち、ケース底部、ケース上前部及びケース上後部を含む外側ケースを有する電子デバイスを分解する方法を提供する。ネジなし固定構造体を使用してケース上前部がケース上後部に取り付けられ、上部構造体を形成し、上部構造体は、複数のネジなしクリップ及びスプリング機構を使用して、ケース底部に取り付けられている、組み立て状態に対して、方法は、リリースフィンガを有するリリース治具を電子デバイスの底面に向かって垂直方向上方に動かし、同時に、複数のネジなしクリップ及びスプリング機構のそれぞれの固定部を分離することによって、ケース上前部及びケース上後部をケース底部から上方向に取り外すこと２２１０を含む方法。組み立て状態に関して、方法は、さらに、ケース上前部をケース上後部に関して下にスライドし、ネジなし固定構造体を取り外し、ケース上前部をケース上後部から分離し、それによって、外部ケース内に含まれる電子部品にアクセスできるようになることを含む。
【００１７】
本原理のこれら及び他の態様、特徴及び利点が、添付図面と関連して読まれることにより、例示的な実施形態の以下の詳細な説明から明らかとなる。
【図面の簡単な説明】
【００１８】
以下の例示的な図面に従って、本原理がより良く理解され得る。
【００１９】
【図１】図１は、電子デバイスの従来技術の水平方向のケースの斜視図である。
【図２】図２は、本原理の実施形態に従った、垂直方向の電子デバイス２００の斜視図である。
【図３】図３は、本原理の実施形態に従った、垂直方向の電子デバイス２００の分解した斜視図である。
【図４】図４は、本原理の実施形態に従った、保持クリップ２１４の斜視図である。
【図５】図５は、本原理の実施形態に従った、ケースの部品がいかに組み立てられるかを示すケースの斜視図である。
【図６】図６は、本原理の実施形態に従った、ケース後部保持機構を示すケースの斜視図である。
【図７】図７は、本原理の実施形態に従った、連結の横断面を示すケースの斜視図である。
【図８】図８は、本原理の実施形態に従った、ケース前部の開口部を示すケースの斜視図である。
【図９】図９は、本原理の実施形態に従った、垂直方向の電子デバイス２００の保持機構の斜視図である。
【図１０】図１０は、本原理の実施形態に従った、垂直方向の電子デバイス２００の保持機構の別の斜視図である。
【図１１】図１１は、本原理の実施形態に従った、垂直方向の電子デバイスの分解した斜視図である。
【図１２】図１２は、本原理の実施形態に従った、垂直方向の電子デバイス２００及び金属製保持クリップ２１４の底面斜視図である。
【図１３】図１３は、本原理の実施形態に従った金属製保持クリップの図である。
【図１４】図１４は、本原理の実施形態に従った金属製保持クリップの図である。
【図１５】図１５は、本原理の実施形態に従った金属製保持クリップの図である。
【図１６】図１６は、本原理の実施形態に従った、ケース底部２１３の斜視図である。
【図１７】図１７は、本原理の実施形態に従った、いかに底部２１３がケース上前部及びケース上後部２１２に固定されるかを示した斜視図である。
【図１８】図１８は、本原理の実施形態に従った、いかに底部２１３がケース上前部及びケース上後部２１２に固定されるかを示した斜視図である。
【図１９】図１９は、本原理の実施形態に従った、垂直方向の電子デバイス２００の底面斜視図である。
【図２０】図２０は、本原理の実施形態に従った、リリース治具３００の図である。
【図２１】図２１は、本原理の実施形態に従った、ケース底部、ケース上前部、及びケース上後部を有する電子デバイスの組み立てに対する例示的な方法２１００を示すフロー図である。
【図２２】図２２は、本原理の実施形態に従った、ケース底部、ケース上前部及びケース上後部を有する電子デバイスの分解に対する例示的な方法２２００を示すフロー図である。
【発明を実施するための形態】
【００２０】
本原理は、素早く（quickly）、安全に（safely）電子装置を分解できるように設計された電子装置及び関連する分解リリースツール（disassembly  release  tool）を対象とする。
【００２１】
図２は、本原理の実施形態に従った、上部（top）２１０、前面（front  wall）２０８、後面（rear  wall）２０６、側面（side  wall）２０４、及び底部（base）２０５を有する垂直方向（vertically  oriented）の電子デバイスの斜視図を示す。
【００２２】
図３は、本原理の実施形態に従った、垂直方向の電子デバイス２００の３つの主要な部分を示す。３つの部分は、ケース底部（case  bottom  piece）２１３、ケース上前部（case  top  front  piece）２１１及びケース上後部（case  top  back  piece）２１２である。
【００２３】
図４は、本原理の実施形態に従った、ケース底部２１３をケース上前部２１１及び／又はケース上後部２１２に係合させ、固定するために利用される金属製であり得る保持クリップ（retention  clip）２１４の斜視図である。
【００２４】
図５は、本原理の実施形態に従って、ケース上前部２１１が、電子デバイス２００のケース上後部２１２上にスライドして付けられ、そしてそれら２つを一緒にロックするために保持機構に入れることによって、組み立てが終了したときに、内部電子部品がその中に収容されることがいかに行われるかを示す。図６乃至図８は、本原理の実施形態に従って、各部の一つの垂直面の内部表面から内部に延びた突き出たレッジ（protruding  ledge）２１６における具体的な固定機構を示す。突き出たレッジ２１６は、ケース前部２１１上の突起受け開口部（protrusion  receiving  opening）２１７を固定する突起部（protrusion）２１５を含む。突起受け開口部２１７は、突起部２１５を受け得るスロット（slot）を作る直立した周壁を持つ、一般的に水平のレッジである。スロットは、レッジが伸びる又は長い横軸に沿ってからの内部壁面からの直行の寸法において、大きすぎることができる。突起部２１５をすっぽり収まるように固定するために、スロットは壁面と平行な寸法に沿って、又はレッジの短い横軸に沿って、狭くすることも可能である。突起レッジ２１６、突起部２１５、及び突起受け開口部２１７は、ネジなし固定機構を形成する。
【００２５】
図９及び図１０は、さらに、本原理の実施形態に従った、ケース上前部２１１をケース上後部２１２に固定するために使用される保持機構の斜視図である。図９は、突起部受け開口部２１７の上に位置し、また前面部２１１の垂直壁面の一つの内部表面から内部に延びるリブ（rib）２１８を示す。組み立て開始位置が非常に低い位置から試みられた場合、リブ２１８は、ケース後部保持機構（case  rear  retention  feature）と連結され得る。図１０は、チャンファ（chamfer）２９９がケース上部２１０を受容可能な開始位置に導くことを示す。リブ２１８は、コンポーネントを損傷する可能性がある過度のケースの移動を防止することによって非常に低い位置からケース前部が開始することを防止する。
【００２６】
図１１は、本原理の実施形態に従った、垂直方向の電子デバイス２００の分解した斜視図であり、電子デバイス２００の前面部２１１の内部壁面及びケース上後部２１２が示されている。保持突起部（retention  protrusion）２９１、保持開口部（retention  openings）２９２、及び過剰移動防止部分（over  travel  prevention  portion）２９３が、図１１に示されている。
【００２７】
デバイス２００は、回路基板、ハードディスク、アンテナ等のような電子コンポーネントを含むことができ、そして、電子コンポーネントは、パネルジャック（panel  jack）に接続され得ることに留意されたい。パネルジャックは、後壁面（rear  wall）２０６上にあり、又は後壁面の一部であり得る。後壁面２０６は、ケース上後部２１２の一部になり得、そして、図１１の部品２１２の低い長方形の機構のいくつかは、パネルジャックを表し得る。
【００２８】
図１２は、本原理の実施形態に従った、ケース底部２１３が取り付けられていない垂直方向の電子デバイス２００の底面斜視図である。
【００２９】
図１３乃至図１５は、本原理の実施形態に従った、金属製保持クリップ（metal  retention  clip）２１４のいくつかの表示である。図は、相互に取り付けられ及びそして金属製保持クリップ２１４を使用してケース底部２１３に取り付けられる、前面部２１１及びケース上後部２１２を示す。金属製保持クリップ２１４は、ケース上前部２１１及びケース上後部２１２上に機構により保持される。クリップ２１４は、一般にＶ字型で、Ｖ字型の一方にアンカ部分（anchor  portion）２２０がある。アンカ部分２２０は、長方形の平面的な形状を有し、ケース上前部２１１及びケース上後部２１２のアンカベース（anchor  base）２２１に適合する開口部２７７を有し得る。図１５は、アンカ部分２２０の開口部２７７がいかにアンカベース２２１の突起部２２１Ａを固定し、アンカ部分２２０の上にある内部を向いたレッジが、アンカベース２２１の上部を掴み、低部内部くさびがアンカベース２２１の底部を掴み保持クリップ２１４を固定する。これにより、Ｖ字型の他方のクリップ２１４のロック部分２１９が、底部２１３の機構と固定され、電子デバイス２００を閉める又は組み立てることを可能とする。特に、ロック部分（locking  portion）２１９の上面は、クリップ固定機構（clip  engaging  feature）２２２の底面と接触するように内部に延び、スプリング２１４の外側へのスプリングの力が図１８に示されるように機構２２２を固定するようにロック部分を外側へ動かし、ロック部分２１９が、さらにレッジの端で上に延びて機構２２２の底面の端を固定する。Ｖ字型が示されているが、Ｕ字型も同様に採用することができ、Ｖ字又はＵ字型部品の両側は、異なる高さを持ち得る。
【００３０】
図１６は、本構成の実施形態に従ったケース底部２１３の斜視図であり、底部２０５及び底部２１３から垂直上方に延びるクリップ固定機構２２２が示されている。クリップ固定機構２２２は、ケース前部２１１及びケース上後部２１２上にクリップ２１４のロック部分２１９をはめ込まれるように設計されている。ネジなしクリップ及びスプリング機構２８８は、クリップ２１４及びクリップ固定機構から形成される。
【００３１】
図１７及び図１８は、本原理の実施形態に従った、ケース上前部２１１及びケース上後部２１２にはめ込まれるケース底部２１３を示す斜視図である。リリースフィンガ（release  finger）３０１は、開口部２２３に入り、ロック部分２１９を解放するように内側に向けてロック部分を押す。
【００３２】
図１９は、本原理の実施形態に従った、垂直方向の電子デバイス２００の底面斜視図である。
【００３３】
図２０は、本原理の実施形態に従ったリリース治具（release  fixture）３００の図である。図１９及び図２０は、底部２０５にあるリリース開口部２２３を示し、リリース治具３００のベースにあるリリースフィンガ３０１はリリース開口部２２３に入り、アンカ部分２２０の方にロック部分２１９を内部へ押し上げ、固定機構２２２からロック部分２１９の上部を取り外す。リリースフィンガ３０１（図１８には図示されていないが）は、ロック部分２１９の外部端に接触し、固定機構２２２からロック部分２１９を移動させることが図１８を参照しても理解され得る。
【００３４】
図２１は、本原理の実施形態に従った、ケース底部、ケース上前部、及びケース上後部を有する電子デバイスの組み立てに関する例示的な方法２１００を示すフロー図である。ステップ２１１０において、ネジなし固定構造体９７７を使用して、ケース上前部２１１をケース上後部２１２に取り付け、上部構造体２１０を形成する。ステップ２１２０において、複数のネジなしクリップ及びスプリング機構２８８を使用して上部構造体２１０をケース底部２１３に取り付ける。
【００３５】
図２２は、本原理の実施形態に従った、ケース底部、ケース上前部、及びケース上後部を有する電子デバイスの分解に関する例示的な方法２２００を示すフロー図である。方法２２００は、組み立てた状態に適用され、そこで、ケース上前部は、ネジなし固定構造体９７７を使用して、ケース上後部２１２に取り付けられて、上部構造体２１０を形成し、上部構造体は、複数のネジなしクリップ及びスプリング機構２８８を使用してケース底部に取り付けられる。ステップ２２１０において、リリースフィンガ３０１を有するリリース治具３００を電子デバイスの底から垂直方向に上に移動させ、同時に複数のネジなしクリップ及びスプリング機構２８８のそれぞれのロック部分２１９を分離し、ケース上前部２１１及びケース上後部２１２がケース底部２１３から取り外されるようにする。ステップ２２２０において、ケース上前部２１１をケース上後部に関して下にスライドさせ、ネジなし固定構造体９７７を解放し、ケース上前部２１１をケース上後部２１２から分離し、それにより外部ケース内の電子部品は、アクセス可能になる。
【００３６】
電子デバイス２００は、セットトップボックス等であって、デバイスの高さが、前の垂直面の幅及び／又は後の垂直面の幅及び／又は水平の奥行よりも大きいような垂直向き（vertical  oriented）であり得る。水平方向の断面図は、前と後ろが平行で、側面は他方に対して平行ではない、四角形の形状であり得る。デバイスは、リリース治具及びリリースフィンガがデバイスの底面に向かって垂直方向に上昇するように動き、同時に複数のロック部分を解放するようにすることにより、ケース上前部２１１及びケース上後部２１２がケース底部２１３から上に外れることを許す。ケース上前部２１１及びケース上後部２１２は、そしてさらに２つの部分（ケース上前部２１１及びケース上後部２１２）を取り付ける図５に示されたのと逆の動きでケース上部を動かすことにより、他方から分離することができる。２つの部品２１１及び２１２が取り付けられている組み立ては、リリース治具が取り除かれ又はないときは、クリップ２１４を有するクリップ固定機構２２２を調整することによって再組立て又は組み立てることができる。
【００３７】
従って、ネジなしの３つの部分を一緒に保持する方法が、内部にアクセスするリリースツールを可能とするように設計された完全なケースを形成する。さらに具体的には、非破壊のケースを開く唯一のアクセス方法は、底表面からであり得る。これにより、通常は垂直面及び上面にある、アクセス用の穴は、目に見える外観表面上では観察されないことを確保する。本開示の焦点は、２ピースデザインでは容易に型を作れず、顧客の要求を満たす垂直方向に背が高い構造の所定の形状を有するケースに向けられている。しかしながら、そのような形状を有する３ピースデザインは、垂直の見える表面及び上面に見苦しいアクセス用の穴を必要としない前及び後のケース部に対してラッチをリリースし、有利に顧客の好みに合致し、より都合良く型を作れる部品を含む。
【００３８】
本説明は、本原理を説明している。当業者であれば、ここに明示的に記載され又は示されていなくとも、本原理を具体化し、本意図及び範囲内に含まれる、いつかのアレンジメントを工夫することができることを理解されたい。
【００３９】
ここで説明したすべての実例及び条件を含む言葉は、本原理及び技術を促進させる発明者によって寄与された概念を読者が理解するのを助ける教育的な目的を意図し、そのような特に説明した実例及び条件に制限されないように解釈されるべきである。
【００４０】
その上、本原理及びその特定の実例の原理、態様、実施形態の説明のすべての文章は、本原理と構造上及び機能上の均等物を包含することを意図している。さらに、そのような均等物は、現在知られている均等物及び将来開発される均等物、すなわち、構造にかかわらず同じ機能を実行する開発された構成要素の両方を含むことを意図する。
【００４１】
明細書中の本原理の「１つの実施形態（one  embodiment）」又は「一実施形態（an  embodiment）及びそれらの他の変形に対する言及は、本原理の少なくとも１つの実施形態に含まれる実施形態に関連して説明される特定の構成、構造、特徴等を意味する。従って、「１つの実施形態において（in  one  embodiment）」又は「一実施形態において（in  an  embodiment）」及び他の変形の表現の本明細書の至る所での出現は、必ずしも同じ実施形態をすべて参照している訳ではない。
【００４２】
例えば、「Ａ／Ｂ（A/B）」、「Ａ及び／又はＢ（A  and/or  B））」及び「Ａ及びＢの少なくとも１つ（at  least  one  of  A  and  B）」の場合のような、「／」、「及び／又は（and/or）」、及び「少なくとも１つ（at  least  one  of）」は、最初にリストされた選択肢（Ａ）のみの選択、又は第２のリストされた選択肢（Ｂ）のみの選択、又は両方の選択肢（Ａ及びＢ）の選択を包含する意図であることを理解されたい。さらなる実例では、「Ａ、Ｂ、及び／又はＣ（A,  B,  and/or  C）」及び「Ａ、Ｂ、及びＣの少なくとも１つ（at  least  one  of  A,  B,  and  C）」の場合、そのような表現は、一番目にリストされた選択肢（Ａ）のみの選択、又は二番目にリストされた選択肢（Ｂ）のみの選択、又は三番目にリストされた選択肢（Ｃ）のみの選択、又は一番目と二番目にリストされた選択肢（Ａ及びＢ）のみの選択、又は一番目と三番目にリストされた選択肢（Ａ及びＣ）のみの選択、又は二番目と三番目にリストされた選択肢（Ｂ及びＣ）のみの選択、又はすべての選択肢（Ａ及びＢ及びＣ）の選択を包含する意図である。沢山のリストされた項目に関して、この技術及び関連の技術分野における当業者によってただちに明らかなように、これは拡張することができる。
【００４３】
添付図面を参照して例示的な実施形態がここで説明されてきたが、本原理は、これらの詳細な実施形態に制限されることはなく、本原理の範囲又は意図から逸脱することなく、様々な変更及び改良が関連する技術の当業者によってもたらされることを理解されたい。そのようなすべて変更及び改良は、添付請求項に記載のとおり、本原理の範囲内で含まれることを意図している。
【図１】
2017515315.tif 000003
【図２】
2017515315.tif 000004
【図３】
2017515315.tif 000005
【図４】
2017515315.tif 000006
【図５】
2017515315.tif 000007
【図６】
2017515315.tif 000008
【図７】
2017515315.tif 000009
【図８】
2017515315.tif 000010
【図９】
2017515315.tif 000011
【図１０】
2017515315.tif 000012
【図１１】
2017515315.tif 000013
【図１２】
2017515315.tif 000014
【図１３】
2017515315.tif 000015
【図１４】
2017515315.tif 000016
【図１５】
2017515315.tif 000017
【図１６】
2017515315.tif 000018
【図１７】
2017515315.tif 000019
【図１８】
2017515315.tif 000020
【図１９】
2017515315.tif 000021
【図２０】
2017515315.tif 000022
【図２１】
2017515315.tif 000023
【図２２】
2017515315.tif 000024
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
垂直方向であり、ケース底部、ケース上前部及びケース上後部を含む外部ケースと、
前記ケース上前部を前記ケース上後部に取り付けて、上部構造体を形成する、ネジなし固定構造体と、
前記上部構造体を前記ケース底部に取り付ける、複数のネジなしクリップ及びスプリング機構と、
を備える、電子デバイス。
【手続補正２】
【補正対象書類名】明細書
【補正対象項目名】００４３
【補正方法】変更
【補正の内容】
【００４３】
添付図面を参照して例示的な実施形態がここで説明されてきたが、本原理は、これらの詳細な実施形態に制限されることはなく、本原理の範囲又は意図から逸脱することなく、様々な変更及び改良が関連する技術の当業者によってもたらされることを理解されたい。そのようなすべて変更及び改良は、添付請求項に記載のとおり、本原理の範囲内で含まれることを意図している。
ここで例としていくつかの付記を記載する。
（付記１）
垂直方向であり、ケース底部（２１３）、ケース上前部（２１１）及びケース上後部（２１２）を含む外部ケースを有する電子デバイス（２００）であって、
前記ケース上前部を前記ケース上後部に取り付けて、上部構造体（２１０）を形成する、ネジなし固定構造体（９７７）と、
前記上部構造体を前記ケース底部に取り付ける、複数のネジなしクリップ及びスプリング機構（２８８）と、
を備える、電子デバイス（２００）。
（付記２）
前記ネジなし固定構造体（９７７）が、
前記ケース上後部から突き出た複数のレッジであって、それぞれが固定突起部（２１５）を有する、複数のレッジ（２１６）と、
複数の突起開口部であって、それぞれが前記複数のレッジのうちの各１つから固定突起部を受ける、複数の突起開口部（２１７）と、
を含む、付記１に記載の電子デバイス。
（付記３）
前記複数のネジなしクリップ及びスプリング機構（２８８）の各々が、それぞれの保持クリップ（２１４）及びそれぞれのクリップ固定機構（２２２）を含む、付記１に記載の電子デバイス。
（付記４）
前記それぞれのクリップ固定機構（２２２）は、突起部（２２１Ａ）を有するアンカベース（２２１）を有し、
前記それぞれの保持クリップ（２１４）は、ロック部分（２１９）と、アンカ開口部（２７７）を有するアンカ部分（２２０）を有し、
前記突起部が前記アンカ開口部に適合する、付記３に記載の電子デバイス。
（付記５）
前記複数のネジなしクリップ及びスプリング機構（２８８）の各々は、前記ケース上前部（２１１）又は前記ケース上後部（２１２）上のそれぞれの保持クリップ（２１４）、及び前記ケース底部（２１３）上のそれぞれのクリップ固定機構（２２２）を有する、付記１に記載の電子デバイス。
（付記６）
前記クリップ及びスプリング機構（２８８）は、前記上部構造体（２１０）の底部上又はその周辺に置かれ、前記クリップ及びスプリング機構は、前記電子デバイスの高さの４分の１以下まで延びる、付記１に記載の電子デバイス。
（付記７）
前記電子デバイスは、前記電子デバイスの前の垂直表面、前記電子デバイスの後ろの垂直表面、及び前記電子デバイスの水平の奥行の少なくとも１つの幅よりも大きい高さを有している、付記１に記載の電子デバイス。
（付記８）
前記電子デバイスは、前部分（２０８）及び後部分（２０６）は互いに平行で、側面部分（２０４）は互いに平行ではない、四角形を形成する上平面断面図の形状を有する付記１に記載の電子デバイス。
（付記９）
前記電子デバイスは、リリースフィンガ（３０１）を有するリリース治具（３００）が、前記電子デバイスの底部に対して垂直に上方に動くとき、同時に前記複数のネジなしクリップ及びスプリング機構（２８８）の各ロック部分（２１９）を解放し、それにより、前記ケース上前部（２１１）及び前記ケース上後部（２１２）が前記ケース底部（２１３）から上方に取り外され、それにより、前記外部ケース内に含まれる電子コンポーネントがアクセス可能となる、付記１に記載の電子デバイス。
（付記１０）
前記電子デバイスは、さらに前記電子デバイスの前記底部上にリリース開口部（２２３）を有し、それにより、前記リリースフィンガ（３０１）がそこを通過することにより、前記複数のネジなしクリップ及びスプリング機構（２８８）のそれぞれのロック部分（２１９）を取り外す、付記９に記載の電子デバイス。
（付記１１）
前記複数のネジなしクリップ及びスプリング機構（２８８）の各々が、それぞれのクリップ固定機構（２２２）及びそれぞれの保持クリップ（２１４）を含み、
前記それぞれのクリップ固定機構（２２２）は、突起部（２２１Ａ）を有するアンカベース（２２１）を有し、
前記それぞれの保持クリップは、前記ロック部分（２１９）と、アンカ開口部（２７７）を有するアンカ部分（２２０）を有し、
前記突起部が前記アンカ開口部に適合する、付記１０に記載の電子デバイス。
（付記１２）
前記リリースフィンガ（３０１）は、前記電子デバイスの前記底部を通って、前記アンカ部分（２２０）から前記ロック部分（２１９）を押し上げ、前記アンカ開口部から前記突起部を取り外す、付記１１に記載の電子デバイス。
（付記１３）
前記リリースフィンガ（３０１）は、前記電子デバイスの前記底部を通過し、前記複数のネジなしクリップ及びスプリング機構（２８８）のそれぞれのロック部分（２１９）を前記複数のネジなしクリップ及びスプリング機構のそれぞれのアンカ部分（２２０）に対して内部に押し込み、前記ロック部分の上部分を前記複数のネジなしクリップ及びスプリング機構（２８８）それぞれのクリップ固定機構（２２２）から取り外す、付記９に記載の電子デバイス。
（付記１４）
さらに、前記ケース上後部（２１２）及び前記ケース上前部との間の組み立て位置の間違った開始を防止するための前記ケース上前部（２１１）上の開口部（２１７）と結合するための前記ケース上後部上の突起部（２１６）を含む、付記１に記載の電子デバイス。
（付記１５）
前記電子デバイスは、セットトップボックスである、付記１に記載の電子デバイス。
（付記１６）
垂直方向を有する電子デバイス（２００）の筐体であって、
ケース底部（２１３）、ケース上前部（２１１）及びケース上後部（２１２）を含む外部ケースと、
前記ケース上前部を前記ケース上後部に取り付けて、上部構造体（２１０）を形成する、ネジなし固定構造体（９７７）と、
前記上部構造体を前記ケース底部に取り付ける、複数のネジなしクリップ及びスプリング機構（２８８）と、
を備える、筐体。
（付記１７）
前記ネジなし固定構造体（９７７）が、
前記ケース上後部から突き出た複数のレッジであって、それぞれが固定突起部（２１５）を有する複数のレッジ（２１６）と、
複数の突起開口部（２１７）であって、それぞれが、前記複数のレッジのそれぞれ一つから前記固定突起部を受ける、複数の突起開口部と、
を含む、付記１６に記載の筐体。
（付記１８）
前記複数のネジなしクリップ及びスプリング機構（２８８）のそれぞれが、それぞれの保持クリップ（２１４）及びそれぞれのクリップ固定機構（２２２）を含む、付記１６に記載の筐体。
（付記１９）
前記クリップ及びスプリング機構（２８８）は、前記上部構造体（２１０）の底部上又はその周辺に置かれ、前記クリップ及びスプリング機構は、前記筐体の高さの４分の１以下まで延びる、付記１６に記載の筐体。
（付記２０）
前記筐体が、前記筐体の前垂直表面、前記筐体の後垂直表面、及び前記筐体の水平奥行のうち少なくとも１つの幅よりも大きい高さを有する、付記１６に記載の筐体。
【国際調査報告】
2017515315.tif 000025